(57)【要約】【課題】表示部側のボディが操作部側のボディに対して折り畳まれている状態のときに、その表示部側のボディが折り畳まれた位置に確実に保持されるようにしながら、その状態からプッシュボタンの押し込み操作により表示部側のボディが自動的に所定の角度の開放位置まで開放してくるようにする。【解決手段】表示部ｂ側のボディＢ２と操作部ａ側のボディＢ１の突き合わせ部の左端側と右端側とにそれぞれ設けるヒンジ部の一方のヒンジ部Ｃには、他方のボディＢ２を一方のボディＢ１に対し２つ折りに折り畳んだ位置に回動させたときに、その回動をロックするロック機構Ｗを設けるとともに、押し込みによりそれのロックを解除するプッシュボタンＰを組み込み、他方のヒンジ部Ｃ’には、他方のボディＢ２を一方のボディＢ１に対し２つ折りに折り畳んだ状態において、その状態から所定の開放角度まで開放側に回動させるバネ圧を具備せしめたバネ材ｋを組み込む。【選択図】        図８
2004176756.tif 000002
【特許請求の範囲】
【請求項１】
表示部ｂ側のボディＢ２と操作部ａ側のボディＢ１との突き合わせ部を折り曲げ回動自在に連結するハンディ式の電気機器のヒンジ装置において、一方のボディＢ１に固定装設される軸筒部ｄと他方のボディＢ２に固定装設される軸筒部ｅとそれらに嵌装されるヒンジ軸ｃとで構成するヒンジ部Ｃを、ボディＢ１とボディＢ２との突き合わせ部の左端側と右端側とにそれぞれ設け、それの一方のヒンジ部Ｃには、他方のボディＢ２を一方のボディＢ１に対し２つ折りに折り畳んだ位置に回動させたときに、その他方のボディＢ２に設けた軸筒部ｅが一方のボディＢ１に設けた軸筒部ｄに対する回動をロックするロック機構Ｗを設けるとともに、押し込みによりそのロック機構Ｗのロックを解除するプッシュボタンＰを組み込み、他方のヒンジ部Ｃ’には、他方のボディＢ２を一方のボディＢ１に対し２つ折りに折り畳んだ状態において、その状態から所定の開放角度まで開放側に回動させるバネ圧を具備せしめたバネ材ｋを組み込み、他方のボディＢ２の一方のボディＢ１に対する折り畳みを、他方のヒンジ部Ｃ’に設けたバネ材ｋのバネ圧に抗して折り畳み、その折り畳んだ状態を一方のヒンジ部Ｃに設けたロック機構Ｗによりロックせしめるようにしたことを特徴とするハンディ式の電気機器におけるヒンジ装置。
【請求項２】
他方のヒンジ部Ｃ’に設けるバネ材ｋを、バネ鋼をコイル状に巻いたねじりバネ７６とし、それの両端の各遊端面７６ａ・７６ｂを、ヒンジ部Ｃ’に並列する一方のボディＢ１に固定の軸筒部ｄと他方のボディＢ２に固定の軸筒部ｅとに対し、そのねじりバネ７６を巻き込んでいく方向に係止せしめることを特徴とする請求項１記載のハンディ式の電気機器におけるヒンジ装置。
【請求項３】
一方のヒンジ部Ｃに組み込むロック機構Ｗを、そのヒンジ部Ｃの一方のボディＢ１に固定の軸筒部ｄに対し回転方向に係止されるディスク状の固定ディスク７２と他方のボディＢ１に固定の軸筒部ｅに対し回転方向に係止されるディスク状の可動ディスク７３とを、対向させて接合し、これら固定ディスク７２と可動ディスク７３との一方には、回転方向の壁面を斜面とした凸部６３１を設け、他方には前記凸部６３１が嵌入する凹部６２１を設けて、この凸部６３１と凹部６２１との嵌合により回転方向のロックが行われ、可動ディスク７３の軸方向の動きによりロックの解除が行われるようにしたことを特徴とする請求項１記載のハンディ式の電気機器におけるヒンジ装置。
【発明の詳細な説明】
【０００１】
【発明が属する技術分野】
本発明は、ノート型パソコンまたは携帯電話器などのハンディ式の電気機器において、それの本体に、テン・キーなどの押し釦式のスイッチが並列する操作部を開閉自在に被覆するように装備される開閉蓋を、開放状態と閉鎖状態とに切り換えて保持せしめるために、その開閉蓋を本体に対して回動自在に軸支する軸支部に組み込むヒンジ装置のうちで、特に、ボディを２つ折りに畳まれる形態とし、それの一方が開閉蓋を構成する場合のように開閉蓋を比較的重量のあるものとした電気機器についてのヒンジ装置についての改良に関する。
【０００２】
【従来の技術】
上述の形態の、中折れ式と呼ばれるハンディ式の電気機器における開閉蓋のヒンジ装置は、典型的な中折れ式の電気機器である携帯電話器Ａについて具体的にいえば、図１にあるように、ボディＢを、中間部から分割して２分し、それの一半側には、多数の押し釦式のスイッチＳＷを並列させた操作部ａを設けて、操作部側のボディＢ１とし、他半側には、液晶の表示部ｂを設けて表示部側のボディＢ２を構成し、これらの突き合わせ部に、ヒンジ軸ｃを嵌装する軸穴を具備せしめたボディＢ１に一体に連結する軸筒部ｄとボディＢ２に一体に連結する軸筒部ｅとを装設しておいて、それらにヒンジ軸ｃを嵌装して互いにヒンジ軸ｃ中心に回動するよう連結することで、図２にあるように、表示部ｂを設けた表示部側のボディＢ２が、操作部ａを設けた操作部側のボディＢ１の上面に蓋となって被さる２つ折りに折り畳んだ状態と、図１にあるように表示部側のボディＢ２と操作部側のボディＢ１とが開いた状態とに切り換わるようにしている。
【０００３】
これにより、使用しないときは、図２にあるように２つ折りに折り畳んだ状態にしておいて、操作部ａのスイッチＳＷに無用の接触がないようにし、使用するときには、操作部側のボディＢ２を握って、表示部側のボディＢ１を開放回動させることで、前述の図１の状態とするようにしている。
【０００４】
そして、使用しないときの２つ折りに折り畳んだ状態に保持せしめるようにするため、軸筒部ｄ・ｅとヒンジ軸ｃとで構成されるヒンジ部Ｃには、それのヒンジ軸ｃに開閉蓋となる表示部側のボディＢ２が、操作部側のボディＢ１に対し閉鎖側に回動するように働くバネを組み込み、これにより、開閉蓋となる表示部側のボディＢ２が閉鎖位置に保持されるようにし、使用の際には、このバネの付勢に抗して表示部側のボディＢ２を、こじあけるようにすることで、開放回動させるようにし、かつ、このバネは、図３にあるように、表示部側のボディＢ２を例えば、３０度位の角度だけ開放させると、そのバネの付勢の方向が切り換わって、開放側に回動させるようにしてあって、これにより、使用するときに、少しの角度だけバネ圧に抗して開放側に回動させると、その後は、図１にあるように開放状態となる自由な開放角度に動かせるようにしている。
【０００５】
このように構成するヒンジ部Ｃのヒンジ軸ｃは、通常、ヒンジ軸ｃを図４にあるように、金属板で四角な角筒状に成形したケース１と、樹脂材により円盤状のフランジ２０の前後の両面に四角な角柱状の軸部２１・２２がそれぞれ突出する形状に成形されて、それの前面側に突出する角柱状の軸部２１が前記ケース１の前壁１ａに開設した透孔１０から突出する状態においてケース１内で回転するアクチュエータ（作動軸）２と、合成樹脂材によりキューブ状に成形されて、それの前端面に、前記作動軸２の後面側の軸部２２の軸心部位に開設される中心穴に嵌合してその作動軸２を回転自在に支承する支軸３０が突出し、上下の両面に組付部３１が形成されるバネ保持部材３と、バネ性を具備する金属板を側面視において先細りのコの字型に成形して前述のバネ保持部材３の外周面に組み付け保持させるバネ板４と、これら作動軸２とバネ保持部材３とバネ板４とを、図５にあるように組み合わせて角筒状に形成してあるケース１内に挿入し、そのケース１の後端側に形設してあるラグ片１ｂ・１ｂの折曲げによるかしめ付けで図６にあるようにケース１内に組み込んだときに、作動軸２の前面側の軸部２１がケース１の透孔１０から突出するように押し出すテーパ状のコイルバネ５とで構成し、これらにより図７にあるように角柱状としたヒンジ軸ｃに組み立て、このヒンジ軸ｃを、携帯電話器Ａの表示部ｂ側のボディＢ２に設けた軸筒部ｅの角穴内に挿入し、それの角穴から突出する前述の作動軸２の前面側の角柱状の軸部２１を、操作部ａ側のボディＢ１に設けた軸筒部ｄに形設しておく角穴に嵌合させることで、表示部ｂ側のボディＢ２が、操作部ａ側のボディＢ１に対しこのヒンジ軸ｃにより開閉回動するようにしている。
【０００６】
そして、このヒンジ軸ｃに付勢の方向が切り換わるように組込むバネは、前述のバネ保持部材３に組付けるコの字形のバネ板４の対向する一対の作動片４０・４０とし、これにより、表示部ｂ側のボディＢ２が閉鎖位置にあるときに、作動軸２の内端側の角柱状の軸部２２の四つの周面のうちの対向する二つの面に対して、一対に対向するバネ板の作動片４０・４０が圧接して、その作動片４０・４０のバネ圧により軸部２２をその状態位置に保持するようになり、この状態から表示部ｂ側のボディＢ２を開放回動させると、その回動の初期においては、角柱状の軸部２２が、それの距離の長い対角線上において対向する稜と稜とで作動片４０・４０の間隔を拡げながらその作動片４０・４０に圧接するようになっていくことによりバネ圧に抗して回動するようになって、その開放回動の進行で、軸部２２の周面と作動片４０・４０との接触点となる軸部２２の対向する稜と稜とが死点越えしたところで、作動片４０・４０のバネ圧が表示部ｂ側のボディＢ２を開放側に付勢するように働いて、開閉蓋となる表示部ｂ側のボディＢ２をを開放側に回動させるようになり、その作動片４０・４０が、作動軸２の内端側の軸部２２の対向する二つの面に圧接した状態において開放回動を停止させ、その状態位置に保持するようにしている。
【０００７】
【発明が解決しようとする課題】
上述の二つ折りに折り畳まれる形態の電気機器におけるヒンジ装置は、開閉蓋となる表示部ｂ側のボディＢ２の重量がかなりのものとなることから、そのボディＢ２を閉鎖側に閉じ合わせる方向に作用するバネ材を組み込んでおいても、持ち歩くときの状態姿勢によって、開放側に回動する場合があり、折り畳んだ閉鎖位置への保持が不確実となる問題がある。
【０００８】
また、折り畳んだ状態の保持を確実にするために、組み込むバネ材のバネ圧を強力なものとしようとすると、軸筒部ｄと軸筒部ｅとに組み付けるヒンジ軸ｃを組み立てるのがむづかしくなる問題がでてくる。
【０００９】
さらに、この形態の電気機器には、例えば、折り畳み式の携帯電話器についていえば、折り畳んだ状態からの開閉蓋となる表示部側のボディの開放回動が、キーのタッチ操作により自動的に行われるようになっていることの要望があり、そのようにしようとすると、キーのタッチ操作により表示部側のボディの開放回動が適確に行われるようにするため、開放側に付勢する強力なバネ材を組み込み、その上で、そのボディの閉鎖位置の保持を確実にするため閉鎖側に付勢する強力なバネ材を組み込まなければならず、ヒンジ軸の構成を著しくむづかしくする問題がでてくる。
【００１０】
本発明は従前の２つ折り式の電気機器に生じているこれらの問題を解決するためになされたものであって、表示部側のボディが操作部側のボディに対して折り畳まれている状態のときに、その表示部側のボディが折り畳まれた位置に確実に保持されるようにしながら、その状態からプッシュボタンの押し込み操作により表示部側のボディが自動的に所定の角度の開放位置まで開放してくるようにするのが、簡略な機構で得られるようにする新たな手段を提供することを目的とする。
【００１１】
【課題を解決するための手段】
そして、本発明においては、上述の目的を達成するための手段として、表示部側のボディと操作部側のボディとの突き合わせ部を折り曲げ回動自在に連結するハンディ式の電気機器のヒンジ装置において、それのヒンジ部が、一方のボディに固定装設される軸筒部と他方のボディに固定装設される軸筒部とそれらに嵌挿されるヒンジ軸とで構成されて、左右に一対に対向するように２組み設けられることから、これを利用し、左右の一側に設けるヒンジ部には、一方のボディを他方のボディに対し２つ折りに折り畳んだ状態位置に回動させたときに、その一方のボディに設けた軸筒部に対して他方のボディに設けた軸筒部が回転しないようにその回動位置にロックするロック機構を設けるとともに、タッチ操作により押し込むことでそのロック機構のロックを解除するプッシュボタンを組み込んでおき、左右の他側に設けるヒンジ部には、一方のボディを他方のボディに対し折り畳んだ状態において、その状態位置から所定開放角度まで開放側に回動させるバネ圧を具備せしめたバネ材を組み込んでおき、一方のボディを他方のボディに折り畳むときには、この開放側に回動させるバネ材のバネ圧に抗して折り畳み、この折り畳んだときに前述の一側のヒンジ部に組み込んだロック機構により折り畳んだ状態位置にロックされ、この状態からプッシュボタンの押し込みでロック機構が解除されて一方のボディが所定角度まで開放してくるようにする手段を提起するものである。
【００１２】
また、左右の他側に設けるヒンジ部に組み込むバネ材を、バネ鋼がコイル状に巻かれたねじりバネとし、これの両端部を、そのヒンジ部に並列して対向する一方のボディに固定の軸筒部と他方のボディに固定の軸筒部とのそれぞれに対し、このねじりバネを巻き込む方向に係止するようにしておいて、耐久性があってバネ圧の強力なバネ材とする手段を併せて提起するものである。
【００１３】
さらに、左右の一側に設けるヒンジ部に組み込むロック機構を、一方のボディの軸筒部に対し回転方向に係止されるバネ板よりなるディスクと他方のボディの軸筒部に対し回転方向に係止されるバネ板よりなるディスクとを対向させて接合し、これらディスクの一方に回転方向の壁面を斜面とした凸部を設け、他方のディスクには凹部を形成しておいて、この凸部と凹部との嵌合により回転方向のロックが行われるようにし、かつ、これら一対のバネ板よりなるディスクのうちの一方を軸方向に可動としておいて、バネにより互いに接合する方向に付勢しておき、この可動のディスクを、プッシュボタンの押し込み作動でバネの付勢に抗して押し込むことにより凸部と凹部との嵌合が外れて、ロックの解放が行われるようにしておき、これにより、プッシュボタンの押し込みを行わないでも、一方のボディを強く押し開いていくことで、凸部の壁面の斜面の滑りにより、このボディの開放回動が行えるようにする手段を併せて提起するものである。
【００１４】
【発明の実施の形態】
次に本発明の実施の態様を、実施例につき図面に随い詳述する。
図８は本発明手段を実施せる中折れ式の携帯電話器の、開いた状態の全体の斜視図で、同図において、Ａは携帯電話器の全体、Ｂはそれのボディ、Ｂ１は押し釦式のスイッチＳＷが並設された操作部ａ側のボディ、Ｂ２は表示部ｂが設けられた側のボディ、Ｃはこれら操作部ａ側のボディＢ１と表示部ｂ側のボディＢ２との突き合わせ部を折り曲げ回動自在に連結するヒンジ部のうちの左端側に設けられるヒンジ部、ｃはそれのヒンジ軸、ｄはそのヒンジ部Ｃの操作部ａ側のボディＢ１に固定して設けた軸筒部、ｅはそのヒンジ部Ｃの表示部ｂ側のボディＢ２に設けた軸筒部、Ｐはヒンジ部Ｃに組み込んだロック機構の解除用のプッシュボタン、Ｃ’はボディＢ１とボディＢ２との連結部の右端側に設けたヒンジ部、ｄはボディＢ１側の軸筒部、ｅはボディＢ２側の軸筒部、ｃ’はそれら軸筒部ｄ・ｅに嵌装されるヒンジ軸を示している。
【００１５】
図９は、上述の携帯電話器Ａの操作部ａ側のボディＢ１と表示部側のボディＢ２とを折り曲げ回動自在に連結している左右に一対のヒンジ部のうちの、左端側のヒンジ部Ｃの縦断側面図、図１０は横断平面図で、これらの図において、ｄはボディＢ１に一体に連結する軸筒部、ｅはボディＢ２に一体に連結する軸筒部、ｃはこれら軸筒部ｄ・ｅに嵌装せるヒンジ軸、Ｗはそのヒンジ軸ｃに組込んだロック機構、Ｐはそのヒンジ軸ｃに組み込んだ前記ロック機構Ｗを解除するためのプッシュボタンを示している。
【００１６】
ヒンジ軸ｃは、樹脂材により軸筒状に成形してボディＢ１側の軸筒部ｄの内周側に嵌装される固定軸筒６０と、同様に樹脂材で成形してボディＢ２側の軸筒部ｅの内周側に嵌装される可動軸筒６１と、バネ性を具備する金属板で座板状に成形して、前記固定軸筒６０の内端側の端面に組み付ける固定ディスク６２と、同様に金属板で成形して可動軸筒６１の内端側の端面に軸方向に可動に組み付ける可動ディスク６３と、可動軸筒６１の内腔に組み込んで可動ディスク６３を前述の固定ディスク６２に対し接合するよう付勢するコイルバネ６４と、固定ディスク６２と可動ディスク６３との間に形成されるロック機構（後述する）のロックを解除するために、固定軸筒６０に軸方向に可動に組み込むプッシャーチップ６５と、そのプッシャーチップ６５を押し込むよう固定軸筒６０に組み込むプッシャー６６と、そのプッシャー６６を外方に向け戻すように付勢するプッシュスプリング６７と、これらを組み合わせた状態において、固定軸筒６０と可動軸筒６１とを軸方向に固定してそれらを互いに自在に回転するよう組み立てるために、固定軸筒６０および可動軸筒６１の軸心部位に嵌挿されるセンターピン６８と、そのセンターピン６８の先端側にかしめ付けられる中空リベット６９と、からなり、これらにより、図１１の平面図、図１２の底面図、図１３の左側面図、図１４の右側面図にあるような形態のものに組み立てられている。
【００１７】
固定軸筒６０は、図１５乃至図１８に示している形状に成形されているもので、軸心部位には、センターピン６８が挿通される軸穴６００が開設され、外周に寄る部位には、軸方向視において扇形をなす形状の透孔６０１が軸穴６００を中心とする対称位置に一対に開設してあって、ここに、プッシャーチップ６５が嵌挿されるようにしてある。また、外周面には、周方向に突出する突条状の突起６０２が上下に一対に対称するように設けてあり、ヒンジ軸ｃに組み立てた状態で並列する軸筒部ｄと軸筒部ｅとに嵌挿していくときに、この突条状の突起６０２が軸筒部ｄの内周面に形設しておく凹溝に嵌合することで、固定軸筒６０が軸筒部ｄに対し回転方向に係合するようにしてある。また、外周面の左右の両側には、軸方向視において扇形をなす拡径部６０３が、一対に対称するように形設してあり、この拡径部６０３・６０３に前述の透孔６０１・６０１が形設してある。
【００１８】
この固定軸筒６０の内端面に組み付ける固定ディスク６２は、バネ性を具備する金属板により、図１９乃至図２２にあるような形状に形成してあり、中心部位には前述のセンターピン６８が貫通する軸穴６２０が開設され、周縁部位には、軸方向視において扇形の窓穴状の凹部６２１・６２１が、軸穴６２０中心に一対に対称するように形設してあり、その凹部６２１・６２１の回転方向における辺縁は曲面に形成したガイド面６２２に形成してある。
【００１９】
また、周縁部で、前記切欠き状の凹部６２１と凹部６２１との中間部位には、略軸方向に沿い外側（図１９において左側）に向け屈曲して突出するラグ片６２３が上下に一対に対向するように形設してあり、それらラグ片６２３・６２３の各基端側には、窓穴状の係合穴６２４が開設してある。
【００２０】
このラグ片６２３は、軸筒部ｄ・ｅを通電性の金属材で形成し、ヒンジ軸ｃを介して軸筒部ｄ・ｅ間の通電を得ようとするときに、センターピン６８に接触する固定ディスク６２と可動ディスク６３を軸筒部ｄ・ｅの内周面に対して接触させる接触端子となるようにするためと、ヒンジ軸ｃの軸筒部ｄ・ｅに対する連結を確実にするためのものであるが、この例のように軸筒部ｄ・ｅを樹脂材で成形した場合にあっても、ヒンジ軸ｃの組み立ておよびその軸筒部ｄ・ｅに対する連結を確実にするのに用いている。
【００２１】
このラグ片６２３は、固定ディスク６２を固定軸筒６０の内端面に接合して組み付けるときに、図１２にあるようにそれの窓穴状の係合穴６２４が固定軸筒６０の外面に形設した突起６０２に嵌合して固定ディスク６２の固定軸筒６０に対する組み付けが得られるようになり、また、ヒンジ軸ｃに組み立てて軸筒部ｄ・ｅに嵌装したときに、図９にあるように、軸筒部ｄの内周面に圧接して軸筒部ｄに対する連結が行われるようにしてある。
【００２２】
可動軸筒６１は、樹脂材により図２３乃至図２６にあるような中空の椀状に成形してあって、それの外端側（図２３において右端側）には、センターピン６８の先端側にかしめ付ける中空リベット６９が貫通する軸穴６１０が形成してあるが、外周面の形状は、軸方向視において、前述の固定軸筒６０と同じに形成してあり、上部および下部にはそれぞれ突条６１１・６１１が形設され、左面側および右面側には扇形の拡径部６１２・６１２が形設してある。
【００２３】
この可動軸筒６１の内端側に組み付ける可動ディスク６３は、図２７乃至図３０に示しているような形状に形成してあり、中心部位にはセンターピン６８が貫挿される軸穴６３０が開設され、周縁部位には、左右の両側位置に、前述の固定軸筒６０の内端面に組み付ける固定ディスク６２と対向する側に突出する凸部６３１が左右に一対に対称するように形設してある。
【００２４】
この凸部６３１は、前記固定ディスク６２に設けた凹部６２１と対応する位置に形成され、かつ、固定ディスク６２と可動ディスク６３とを接合したときに、それの凹部６２１内に嵌入していくように形成してある。
【００２５】
また、周縁の上部および下部には、前述の固定ディスク６２に設けたラグ片６２３と同様の形状のラグ片６３２・６３２が上下に一対に対称するように形設してある。
【００２６】
このラグ片６３２・６３２にも窓穴状の係合穴６３３が形設してあって、可動ディスク６３を可動軸筒６１の内端面に接合してラグ片６３２が可動軸筒６１の外周面に被るように組み付けていくときに、このラグ片６３２の係合穴６３３が、図１２にあるように、可動軸筒６１の外周面に形設した突条状の突条６１１に嵌合して、可動ディスク６３を可動軸筒６１に組み付けるようにする。
【００２７】
この可動ディスク６３の可動軸筒６１に対する組み付けは、可動軸筒６１に対し軸方向に少しの距離だけ可動となるようにしておく。
【００２８】
そして、この可動ディスク６３を組み付けた可動軸筒６１と前述の固定ディスク６２を組み付けた固定軸筒６０とを、センターピン６８と中空リベット６９とによりヒンジ軸ｃに組み立てるが、このとき、可動軸筒６１の内腔には、図３１および図３２にあるように、コイル状にバネ材を巻いたコイルスプリング６４を装入しておいて、それのバネ圧により、軸方向に可動とした可動ディスク６３を、固定軸筒６０に組み付けた固定ディスク６２に向け圧接していくようにする。
【００２９】
このとき、可動ディスク６３に設けた凸部６３１が固定ディスク６２に設けた凹部６２１に嵌合することで、固定軸筒６０に対する可動軸筒６１のセンターピン６８中心の回動がロックされるようになる。
【００３０】
そして、このように組み立てたヒンジ軸ｃを、軸筒部ｄと軸筒部ｅとに嵌装して、ヒンジ軸ｃの固定軸筒６０が軸筒部ｄに回転方向に係合し、可動軸筒６１が軸筒部ｅに回転方向に係合した状態とすることで、軸筒部ｄに連結する操作部ａ側のボディＢ１に対し、軸筒部ｅに連結する表示部ｂ側のボディＢ２の回動を、この可動ディスク６３の凸部６３１と固定ディスク６２の凹部６２１との嵌合でロックするようにしている。
【００３１】
そして、この可動ディスク６３の凸部６３１と固定ディスク６２の凹部６２１とで構成されるロック機構Ｗの解除を、ヒンジ軸ｃに組み込むプッシュボタンＰにより行うようにしている。
【００３２】
このプッシュボタンＰによる解除機構は、図３３乃至図３６にあるような形状に形成したプッシャーチップ６５を、固定軸筒６０に開設してある透孔６０１内にそれぞれ嵌挿し、それらの各内周側に、図３７乃至図４０にあるよう一対のプッシャー６６が頭部側の座板６６０により連結して、二又の鞘状に形成したプッシャー６６・６６をそれぞれ挿入して、それらに設けたランス６６１が、ヒンジ軸ｃを組み立てているセンターピン６８の頭部を越してそれに係止することで抜け出しが阻止される状態に挿入し、このとき、プッシャー６６とセンターピン６８の頭部との間に、そのプッシャー６６を外側に押し出す方向に付勢するプッシュスプリング６７を介装しておいて、前記ランス６６１がセンターピン６８の頭部に突き当たるまで押し出された状態に保持させておく。
【００３３】
このプッシャー６６・６６の頭部側を連結する座板６６０には、それの中央部にプッシュボタンＰの組付穴６６２が形設され、周縁には、外周側に角状に突出する角片６６３が形設してあって、プッシュボタンＰの軸部を組付穴６６２に嵌挿したときに、この角片６６３がプッシュボタンＰの内周側に係合して一体的に連結した状態となるようにしている。
【００３４】
そして、ロック機構Ｗの解除を行うときは、プッシャー６６の押し込みで、プッシャーチップ６５の内端を扇形の透孔６０１から突出させて、その透孔６０１に臨んでいる固定ディスク６２に形設した凹部６２１内に押し込み、そこに嵌合している可動ディスク６３に設けた凸部６３１を、凹部６２１内から押し出し、これにより凸部６３１と凹部６２１との嵌合によるロックを外して、固定軸筒６０に対して可動軸筒６１が自由に回動する状態となるようにしている。
【００３５】
次に図４１は、操作部ａ側のボディＢ１と表示部ｂのボディＢ２とを折り畳み回動自在に連結するヒンジ部分の、右端側のヒンジ部  の断面図で、同図において、ｄは操作部ａ側のボディＢ１に一体に連結する軸筒部、ｅは表示部ｂ側のボディＢ２に一体に連結する軸筒部、ｃ’はこれら軸筒部ｄ・ｅに嵌装してボディＢ１側の軸筒部ｄに対しボディＢ２側の軸筒部ｅが自在に回動するよう軸支するヒンジ軸、ｋはボディＢ２をボディＢ２に対し所定の開放角度まで回動させるよう組込んだバネ材を示す。
【００３６】
このヒンジ軸ｃ’は、軸筒部ｄの内周側に嵌合する樹脂材で成形した固定軸筒７０と、同様に樹脂材で成形して軸筒部ｅの内周側に嵌合する可動軸筒７１と、固定軸筒７０の内端面に組み付ける金属板から円板状に成形した固定ディスク７２と、可動軸筒７１の内端面に組み付ける金属板からディスク状に成形した可動ディスク７３と、固定ディスク７２を組み付けた固定軸筒７０および可動ディスク７３を組み付けた可動軸筒７１の軸心部位に貫通して、これらを固定軸筒７０に対し可動軸筒７１が自在に回転する状態に緊縛するセンターピン７４および中空リベット７５と、バネ材ｋからなり、前記センターピン７４およびそれにかしめ付けられる中空リベット７５による緊縛で、図４３乃至図４に示している形態に組み立てられている。そして、それのバネ材ｋは、この例においては、バネ鋼の線材をコイル状に成形したねじりバネ７６とし、これを固定軸筒７０および可動軸筒７１の内腔に嵌挿して、固定軸筒７０に対し可動軸筒７１を、センターピン７４の軸心線中心に一方向に回動させるよう付勢するようにしている。
【００３７】
このヒンジ軸ｃ’の固定軸筒７０は、樹脂材により、図４７乃至図５０にあるように、横向きの椀状に形成され、それの外端側となる底壁には軸心部位に、中空リベット７５が貫通する軸穴７００が形設してあり、外周面には、左右の両側部で開放口側に寄る部位に、軸方向に沿うリブ状に突出する突条７０１が、軸穴７００を中心に左右に対称するように形成され、また、上部側および下部側には、巾広の帯状に突出する拡径部７０２・７０２が形設してある。
【００３８】
そして、この固定軸筒７０の内腔は、図４９に示しているように、上半側の中心点Ｏから中心線Ｆに対し略４５度となる部位までのゾーンが、左方視の図４９において、次第に右回りの巴状に拡径していく拡室部に形設されて、その拡室部のエンドとなる前述の４５度の線上に位置する部位に、拡径による径差に相当する高さの段面Ｓが、中心点からの放射線に沿う平らな面に形成され、かつ、この段面Ｓが軸方向に連続しているよう、この図４９にある形状で軸方向に連続する形状に形成してあり、これにより、図５５乃至図５７に示しているようコイルバネ状に形成されるバネ材ｋのねじりバネ７６の右半側を装入したときに、図４９において鎖線に示しているように、ねじりバネ７６の一端側が、この拡室部内に位置してそれの右端側の遊端７６ａがこの段面Ｓに突き当たるようにしてある。
【００３９】
この固定軸筒７０の内端側に組み付ける固定ディスク７２は、図５８乃至図６１にあるように、前述した左側のヒンジ部Ｃに用いた固定ディスク６２と同様にバネ性のある金属板を用いてディスク状に成形するが、幾分、中央部がレンズ状に張り出す形状に成形してあり、中心部位に軸穴７２０が開口し、周縁には軸方に屈曲するラグ片７２１・７２１が上下に一対に対向するよう連続し、それらラグ片７２１・７２１には、窓穴状の係合穴７２２・７２２が開設してあって、椀状の固定軸筒７０の開放側の内端面に固定ディスク７２を接合して組み付けるとき、固定軸筒７０の外周側に被さるようになるこのラグ片７２１・７２１の係合穴７２２・７２２が、固定軸筒７０の外周面の突条７０１と嵌合することで組み付けた状態に保持されるようになる。
【００４０】
可動軸筒７１は、図５１乃至図５４にあるように、樹脂材で内端側が開放し外端側に底壁を具備する横向きの椀状に成形され、それの底壁にはセンターピン７５が貫通する軸穴７１０が開設してあり、外周面には、左右の両側部位および上部と下部とに、前述の固定軸筒７０の外周面に設けた突条７０１・７０１および拡径部７０２・７０２と同様の突条７１１・７１１および拡径部７１２・７１２が、前述の固定軸筒７１のそれと軸方向視において同一の断面形状に揃うように形設してある。
【００４１】
また、内腔には、それの上半側に、前述の固定軸筒７０の内腔に設けた拡室部と同様に巴状に次第に径方向に拡径していく拡室部が形設してあり、その拡室部のエンドとなる部位には段面Ｓが形設してある。この拡室部は、図５４にあるように、可動軸筒７１を右方から見たときの形状が、図４９に示している前述の固定軸筒７０を左方から見たときの形状と同一に形成してある。
【００４２】
即ち、この可動軸筒７１と固定軸筒７０とを、それらの開放側を突き合わせたときに、この可動軸筒７１に設けた拡室部が固定軸筒７０に設けた拡室部に対し左右に入れ換わって対称する形状に形成してあり、この状態時においては、図５４において鎖線に示している形状となるように形成してある。
【００４３】
この可動軸筒７１の内端側に組み付ける可動ディスク７３は、前記固定ディスク７２と同様にバネ性を具備する金属板から成形してあり、中心部には中空リベット７５が貫通する軸穴７３０が開設され周縁には、軸方向に屈曲する一対のラグ片７３１・７３１が設けられ、そのラグ片７３１・７３１には、可動軸筒７１の外周面に形設した突条７１１に嵌合する係止穴７３２が形設してある。
【００４４】
また、ねじりバネ７６は、バネ線を図５５乃至図５７にあるようにコイル状に巻いて成形するが、それの両端は、次第に拡径させてあり、かつ、それらの両遊端７６ａ・７６ｂが、中心線上に略位置して、巻き方向に対し１８０度の位相差をもって対向するように形成してある。
【００４５】
このため、このねじりバネ７６は、それを、外周面に設けた突条７０１・７０１および拡径部７０２・７１２が軸方向において揃う姿勢として開放口側を突き合わせた固定軸筒７０と可動軸筒７１との内腔に装入したとき、そのねじりバネ７６の右半側が固定軸筒７０内に装入されてそれの右方の遊端７６ａが固定軸筒７０の内周面に形設されている段面Ｓに衝合して回転方向（ねじり方向）の動きが規制されることで、左端側の遊端７６ｂは、図４９において、鎖線で示しているように、左回りの回転方向において略１８０度進んだ位置を占めるようになる。これにより、可動軸筒７１内に装入されたねじりバネ７６の左半側は、可動軸筒７１の内周面に形設された段面Ｓ’に衝合する左端側の遊端面７６ｂが、突き合わされていることで、固定軸筒７０の段面Ｓに対し段面Ｓ’が対称位置にある可動軸筒７０を、その位置から略９０度左回りに回転させた状態とする。
【００４６】
このため、このヒンジ軸ｃ’は、固定軸筒７０および固定ディスク７２と可動軸筒７１および可動ディスク７３とを、それらの内腔にねじりバネ７６を装入して、センターピン７４および中空リベット７５とにより組み立てたとき、固定軸筒７０に対し可動軸筒７１が略９０度左回りに旋回した状態となって組み立てられる。
【００４７】
これにより、このヒンジ軸ｃ’を、操作部ａ側のボディＢ１に設けた軸筒部ｄと表示部ｂ側のボディＢ２に設けた軸筒部ｅとに嵌挿して、ヒンジ軸ｃ’の固定軸筒７０および可動軸筒７１の外周面に設けた突条７０１・７１１と拡径部７０２・７１２とを、軸筒部ｄおよび軸筒部ｅの内周面に設けてある嵌合凹溝に嵌め合わせて、ヒンジ軸ｃ’の固定軸筒７０と可動軸筒７１とが軸筒部ｄと軸筒部ｅとに対し回転方向に係合した状態とすると、軸筒部ｅが軸筒部ｄに対して略９０度、その軸筒部ｅと連結する表示部ｂ側のボディＢ２を操作部ａ側のボディＢ１に対し開放側に回動させた状態位置に回動していく。即ち、操作部ａ側のボディＢ１に対し表示部ｂ側のボディＢ２が、略９０度開放した状態となる。
【００４８】
このため、このヒンジ軸ｃ’で軸筒部ｄと軸筒部ｅとを連結軸支した操作部ａ側のボディＢ１と表示部ｂ側のボディＢ２とは、そのボディＢ２を閉じ側に回動させるとき、ねじりバネ７６のバネ圧に抗してそれを巻き締めながら閉じ合わせていくことになる。このとき、左端側に設けたヒンジ部Ｃのヒンジ軸ｃに組み込んだロック機構Ｗを構成する固定ディスク６２の凹部６２１と可動ディスク６３の凸部６３１とが嵌り合って、ねじりバネ７６のバネ圧による開放側への回動がロックされて、閉じ合わせた折り畳み状態に保持されるようになり、この状態からプッシュボタンＰを押し込んで、ロック機構Ｗを解除すると、右端側に設けたヒンジ部のヒンジ軸ｃ’に設けた前述のねじりバネ７６のバネ圧で表示部ｂ側のボディＢ２が略９０度の角度まで勢いよく開放回動する。
【００４９】
そして、この状態位置からボディＢ２の開放側への回動は、ねじりバネ７６の遊端面７６ｂに対して段面Ｓ’が逃げる方向となることで、固定ディスク７２と可動ディスク７３との接触面の接触圧により回動が規制されるだけとなるから、少しの力を加えることで自由な開放角度に開放していき、それにより、１８０度開放したところで、左側のヒンジ部Ｃのヒンジ軸ｃに設けた可動ディスク６３の凸部６３１が再び固定ディスク７２の凹部６２１に嵌合する位置に回動してくることで、その嵌合により回動はストップする。
【００５０】
この略１８０度に開放回動した回動位置からの閉鎖側への回動は、凸部６３１の回転方向の側面が傾斜面になっていることで、少し強い力を加えることで、凸部６３１が凹部６２１の辺縁から乗り出して嵌合が外れることにより自由に閉鎖側に回動するようになるから、略９０度に開放した位置まできたところで、ねじりバネ７６のバネ圧に抗して押し込むことにより折り畳まれ、そのとき、ロック機構Ｗの凸部６３１と凹部６２１との嵌合で、折り畳んだ状態に保持される。
【００５１】
この凸部６３１と凹部６２１との嵌合によるロックは、前述したように凸部６３１の回動方向の側面が傾斜面になっていることで、プッシュボタンＰの押し込みを行わないでも、少し強い力を加えてこじ開けるようにすることによっても開放するようになる。
【００５２】
このように右端側のヒンジ軸ｃ’に組み込むねじりバネ７６は、表示部ｂ側のボディＢ２を開放側に回動するよう付勢するためのものであり、そのようになればよく、バネ板などの他の適宜のバネ材に換えてよいものである。
【００５３】
また、開放側への回動角度を略９０度としているのは、各別に理由はなく、略３０度または略６０度と適宜に設定してよいものである。
【００５４】
【発明の効果】
表示部ｂ側のボディＢ２と操作部ａ側のボディＢ１とを屈曲回動自在に連結するヒンジ部のうちの左右の一側に設けるヒンジ部Ｃ’には、表示部ｂ側のボディＢ２を所定の開放角度まで回転させるバネ材ｋを組込み、左右の他側に設けるヒンジ部Ｃには、表示部ｂ側のボディＢ２を前記バネ材ｋのバネ圧に抗して操作部ａ側のボディＢ１上に折り畳んだときに、その状態に保持するロック機構Ｗと、それを解除するプッシュボタンＰを組付けるようにしているのだから、折り畳んだ状態の確実な保持と、プッシュボタンの操作により所定角度まで開放させるようにするのが、簡単な機構で得られるようになる。
【図面の簡単な説明】
【図１】２つ折り型の携帯電話器の斜視図である。
【図２】同上電話器の２つ折りに折り畳んだ状態の斜視図である。
【図３】同上電話器の表示部側のボディを開放回動させた状態時の斜視図である。
【図４】同上電話器のヒンジ部に組み込まれるヒンジ軸の分解斜視図である。
【図５】同上のヒンジ軸の組み立て途上の斜視図である。
【図６】同上のヒンジ軸の組み立てた状態における縦断側面図である。
【図７】同上のヒンジ軸の組み立てた状態の斜視図である。
【図８】本発明手段を実施せる２つ折り型の携帯電話器の全体の斜視図である。
【図９】同上の携帯電話器のヒンジ部のうちの左側のヒンジ部の横断平面図である。
【図１０】同上ヒンジ部の縦断正面図である。
【図１１】同上ヒンジ部のヒンジ軸の平面図である。
【図１２】同上のヒンジ軸の底面図である。
【図１３】同上のヒンジ軸の左側面図である。
【図１４】同上のヒンジ軸の右側面図である。
【図１５】同上のヒンジ軸の固定軸筒の縦断正面図である。
【図１６】同上の固定軸筒の横断平面図である。
【図１７】同上の固定軸筒の左側面図である。
【図１８】同上の固定軸筒の右側面図である。
【図１９】同上の固定ディスクの縦断正面図である。
【図２０】同上の固定ディスクの横断平面図である。
【図２１】同上の固定ディスクの左側面図である。
【図２２】同上の固定ディスクの右側面図である。
【図２３】同上の可動軸筒の縦断正面図である。
【図２４】同上の可動軸筒の底面図である。
【図２５】同上の可動軸筒の左側面図である。
【図２６】同上の可動軸筒の右側面図である。
【図２７】同上の可動ディスクの縦断正面図である。
【図２８】同上の可動ディスクの横断平面図である。
【図２９】同上の可動ディスクの左側面図である。
【図３０】同上の可動ディスクの右側面図である。
【図３１】同上のコイルスプリングの正面図である。
【図３２】同上のコイルスプリングの右側面図である。
【図３３】同上のプッシャーチップの正面図である。
【図３４】同上のプッシャーチップの横断平面図である。
【図３５】同上のプッシャーチップの左側面図である。
【図３６】同上のプッシャーチップの右側面図である。
【図３７】同上のプッシャーの縦断正面図である。
【図３８】同上のプッシャーの底面図である。
【図３９】同上のプッシャーの左側面図である。
【図４０】同上のプッシャーの右側面図である。
【図４１】同上携帯電話器のヒンジ部のうちの右側のヒンジ部の縦断正面図である。
【図４２】同上のヒンジ部の横断平面図である。
【図４３】同上のヒンジ部に組み込んだヒンジ軸の平面図である。
【図４４】同上のヒンジ軸の正面図である。
【図４５】同上のヒンジ軸の左側面図である。
【図４６】同上のヒンジ軸の右側面図である。
【図４７】同上のヒンジ軸に組み込まれる固定軸筒の縦断正面図である。
【図４８】同上の固定軸筒の底面図である。
【図４９】同上の固定軸筒の左側面図である。
【図５０】同上の固定軸筒の右側面図である。
【図５１】同上の可動軸筒の縦断正面図である。
【図５２】同上の可動軸筒の底面図である。
【図５３】同上の可動軸筒の左側面図である。
【図５４】同上の可動軸筒の右側面図である。
【図５５】同上のねじりバネの正面図である。
【図５６】同上のねじりバネの左側面図である。
【図５７】同上のねじりバネの右側面図である。
【図５８】同上の固定ディスクの縦断正面図である。
【図５９】同上の固定ディスクの横断平面図である。
【図６０】同上の固定ディスクの左側面図である。
【図６１】同上の固定ディスクの右側面図である。
【図６２】同上の可動ディスクの縦断正面図である。
【図６３】同上の可動ディスクの横断平面図である。
【図６４】同上の可動ディスクの左側面図である。
【図６５】同上の可動ディスクの右側面図である。
【符号の説明】
Ａ…携帯電話器、Ｂ…ボディ、Ｂ１…操作部側のボディ、Ｂ２…表示部側のボディ、Ｃ・Ｃ’…ヒンジ部、Ｆ…中心線、Ｏ…中心点、Ｐ…プッシュボタン、Ｓ・Ｓ’…段面、ＳＷ…スイッチ、Ｗ…ロック機構、ａ…操作部、ｂ…表示部、ｃ・ｃ’…ヒンジ軸、ｄ・ｅ…軸筒部、ｋ…バネ材、１…ケース、１ａ…前壁、１ｂ…ラグ片、１０…透孔、２…アクチュエータ（作動軸）、２０…フランジ、２１・２２…軸部、３…バネ保持部材、３０…支軸、３１…組付部、４…バネ板、４０…作動片、５…コイルバネ、６０…固定軸筒、６００…軸穴、６０１…透孔、６０２…突起、６０３…拡径部、６１…可動軸筒、６１０…軸穴、６１１…突条、６１２…拡径部、６２…固定ディスク、６２０…軸穴、６２１…凹部、６２２…ガイド面、６２３…ラグ片、６２４…係合穴、６３…可動ディスク、６３０…軸穴、６３１…凸部、６３２…ラグ片、６３３…係合穴、６４…コイルバネ（コイルスプリング）、６５…プッシャーチップ、６６…プッシャー、６６０…座板、６６１…ランス、６６２…組付穴、６６３…角片、６７…プッシュスプリング、６８…センターピン、６９…中空リベット、７０…固定軸筒、７００…軸穴、７０１…突条、７０２…拡径部、７１…可動軸筒、７１０…軸穴、７１１…突条、７１２…拡径部、７２…固定ディスク、７２０…軸穴、７２１…ラグ片、７２２…係合穴、７３…可動ディスク、７３１…ラグ片、７４…センターピン、７５…中空リベット、７６…ねじりバネ、７６ａ・７６ｂ…遊端面。
【図１】
2004176756.tif 000003
【図２】
2004176756.tif 000004
【図３】
2004176756.tif 000005
【図４】
2004176756.tif 000006
【図５】
2004176756.tif 000007
【図６】
2004176756.tif 000008
【図７】
2004176756.tif 000009
【図８】
2004176756.tif 000010
【図９】
2004176756.tif 000011
【図１０】
2004176756.tif 000012
【図１１】
2004176756.tif 000013
【図１２】
2004176756.tif 000014
【図１３】
2004176756.tif 000015
【図１４】
2004176756.tif 000016
【図１５】
2004176756.tif 000017
【図１６】
2004176756.tif 000018
【図１７】
2004176756.tif 000019
【図１８】
2004176756.tif 000020
【図１９】
2004176756.tif 000021
【図２０】
2004176756.tif 000022
【図２１】
2004176756.tif 000023
【図２２】
2004176756.tif 000024
【図２３】
2004176756.tif 000025
【図２４】
2004176756.tif 000026
【図２５】
2004176756.tif 000027
【図２６】
2004176756.tif 000028
【図２７】
2004176756.tif 000029
【図２８】
2004176756.tif 000030
【図２９】
2004176756.tif 000031
【図３０】
2004176756.tif 000032
【図３１】
2004176756.tif 000033
【図３２】
2004176756.tif 000034
【図３３】
2004176756.tif 000035
【図３４】
2004176756.tif 000036
【図３５】
2004176756.tif 000037
【図３６】
2004176756.tif 000038
【図３７】
2004176756.tif 000039
【図３８】
2004176756.tif 000040
【図３９】
2004176756.tif 000041
【図４０】
2004176756.tif 000042
【図４１】
2004176756.tif 000043
【図４２】
2004176756.tif 000044
【図４３】
2004176756.tif 000045
【図４４】
2004176756.tif 000046
【図４５】
2004176756.tif 000047
【図４６】
2004176756.tif 000048
【図４７】
2004176756.tif 000049
【図４８】
2004176756.tif 000050
【図４９】
2004176756.tif 000051
【図５０】
2004176756.tif 000052
【図５１】
2004176756.tif 000053
【図５２】
2004176756.tif 000054
【図５３】
2004176756.tif 000055
【図５４】
2004176756.tif 000056
【図５５】
2004176756.tif 000057
【図５６】
2004176756.tif 000058
【図５７】
2004176756.tif 000059
【図５８】
2004176756.tif 000060
【図５９】
2004176756.tif 000061
【図６０】
2004176756.tif 000062
【図６１】
2004176756.tif 000063
【図６２】
2004176756.tif 000064
【図６３】
2004176756.tif 000065
【図６４】
2004176756.tif 000066
【図６５】
2004176756.tif 000067